(57)【特許請求の範囲】
【請求項１】
ビデオ信号の許容可能なビデオ録画の作成を阻止するカラーストライプ変更を含むビデオ信号をビデオ信号の選択されたラインで変更する方法において、
カラーストライプ変更が存在するビデオ信号のラインを判定する段階と、
カラーストライプ変更が存在する全部のラインよりは少ない範囲内の本数であり、ビデオ信号の許容可能なビデオ録画を作成するために十分な本数のライン内でカラーストライプ変更されたビデオ信号を変更する段階と、
を有する方法。
【請求項２】
上記判定する段階は、
カラーストライプ変更が存在するビデオ信号の選択されたラインを示すメモリにデータを記憶する段階と、
カラーストライプ変更を含む選択されたラインを表わすライン位置ゲートを与えるため上記メモリをアクセスする段階と、
を含む請求項１記載の方法。
【請求項３】
上記判定する段階は、カラーストライプ変更の存否を１ラインずつ検出する段階を含む、請求項１記載の方法。
【請求項４】
上記検出する段階は、
各ビデオラインに対し、上記ラインのカラーバーストの位相を既知の正常な位相と比較する段階と、
上記各カラーバーストの位相が上記既知の正常な位相とは異なる場合に、カラーストライプ変更の存在を示す応答として標識信号を供給する段階と、
を含む請求項３記載の方法。
【請求項５】
上記変更する段階は、全部ではないが十分な本数のライン内でカラーストライプ変更の全部には満たない少なくとも一部を変更する段階を含む、請求項１記載の方法。
【請求項６】
上記変更する段階は、
カラーバースト周波数を発生する段階と、
全部ではないが十分な本数のライン内でカラーストライプ変更の全部には満たない少なくとも一部を、発生されたカラーバースト周波数で置き換える段階と、
ビデオ信号の２フィールド分の倍数の間隔で、上記発生されたカラーバースト周波数の位相をリセットする段階と、
を含む請求項１記載の方法。
【請求項７】
上記変更する段階は、
水平同期パルスの周波数をビデオ信号に乗算することにより、カラーバースト周波数を有する信号を発生する段階と、
全部ではないが十分な本数のライン内でカラーストライプ変更の少なくとも一部を、上記発生された信号で置き換える段階と、
を含む請求項１記載の方法。
【請求項８】
上記変更する段階は、カラーストライプ変更の全部には満たない少なくとも一部で位相シフトする段階を含む、請求項１記載の方法。
【請求項９】
上記変更する段階は、
位相シフトされたカラーバースト信号を発生する段階と、
変更されたライン内のカラーストライプ変更の全部には満たないが少なくとも一部の代わりに、発生されたカラーバースト信号をビデオ信号に挿入する段階と、
を含む請求項１記載の方法。
【請求項１０】
上記変更する段階は、カラーストライプ変更の影響を変更するように、各ラインのアクティブビデオ部分の少なくとも一部分を遅延させる段階を含む、請求項１記載の方法。
【請求項１１】
上記変更する段階は、
選択された本数のラインの中のライン毎に各カラーストライプ変更の位相誤差の量を判定する段階と、
上記判定された位相誤差の位相とは逆の位相をなすカラーバースト部分を上記各カラーストライプ変更に加算する段階と、
信号のカラーバースト部分とカラーストライプ変更の加算された振幅を正常なレベルまで減衰させる段階と、
を含む請求項１記載の方法。
【請求項１２】
上記変更する段階は、
正常なカラーバーストの振幅よりも大きい振幅を有する正常な位相のカラーバースト信号を発生する段階と、
上記発生されたカラーバースト信号を選択された本数のライン内のカラーストライプ変更毎に加算する段階と、
カラーバースト信号とカラーストライプ変更の加算された振幅を正常なレベルまで減衰させる段階と、
を含む請求項１記載の方法。
【請求項１３】
上記変更する段階は、
カラーストライプ変更バーストの位相とは逆の位相を有する第１のカラーバースト信号を発生する段階と、
正しい正常な位相を有する第２のカラーバースト信号を発生する段階と、
第１のカラーバースト信号及び第２のカラーバースト信号を全部ではないが十分な本数のライン内のカラーストライプ変更に加算する段階と、
を含む請求項１記載の方法。
【請求項１４】
上記変更する段階は、
１ラインのカラーストライプ変更のバースト位相の量を正常なカラーバースト位相に対し測定する段階と、
測定された上記カラーストライプ変更のバースト位相の量とは逆の位相を有するカラーバースト信号を発生する段階と、
あるラインと直後のラインとの間でカラーバーストの位相の正常な変化を生ずるように、上記発生されたカラーバースト信号を直後のラインに加算する段階と、
を含む請求項１記載の方法。
【請求項１５】
上記測定する段階及び加算する段階は、カラーストライプ変更を有する１行おきのラインだけに対し行われる請求項14記載の方法。
【請求項１６】
上記変更する段階は、全部ではないが十分な本数のライン内でカラーバーストの中のカラーストライプ変更部分を減衰させる段階を含む、請求項１記載の方法。
【請求項１７】
上記変更する段階は、全部ではないが十分な本数のライン内でカラーストライプ変更を除去する段階を含む、請求項１記載の方法。
【請求項１８】
上記変更する段階は、
カラーストライプ変更が存在しないビデオ信号のライン内で正常なカラーバースト信号の位相を変更する段階と、
変更された正常なカラーバーストの位相と一致するようにビデオ信号の上記ライン内でクロマ信号の位相を変更する段階と、
を含む請求項１記載の方法。
【請求項１９】
上記変更する段階は、全部ではないが十分な本数のライン内にある水平同期パルスを減衰させる段階を含む、請求項１記載の方法。
【請求項２０】
上記減衰させる段階は、水平同期パルスを除去する段階を含む、請求項19記載の方法。
【請求項２１】
上記減衰させる段階は、水平同期パルスを狭小化する段階を含む、請求項19記載の方法。
【請求項２２】
上記減衰させる段階は、水平同期パルスをレベルシフトする段階を含む、請求項19記載の方法。
【請求項２３】
上記変更する段階は、上記ラインを少なくとも２マイクロ秒ずつ遅延させる段階を含む、請求項19記載の方法。
【請求項２４】
上記変更する段階は、正常なカラーバーストの副搬送波周波数の周波数とは異なるように、カラーストライプ変更の周波数を変える段階を含む、請求項19記載の方法。
【請求項２５】
上記変更する段階は、正常なカラーバースト位相を与えるためカラーストライプ変更の少なくとも一部分をヘテロダイン合成する段階を含む、請求項19記載の方法。
【請求項２６】
ペデスタル信号をビデオ信号の全てのアクティブビデオラインに加算する段階と、
減衰されない水平同期パルスの間隔を少なくとも６マイクロ秒まで拡大する段階と、
を更に有する請求項１記載の方法。
【請求項２７】
ビデオ信号の選択されたラインに収容され、ビデオ信号の許容可能なビデオ録画の作成を阻止するカラーストライプ変更を含むビデオ信号を変更する装置において、
カラーストライプ変更を含むビデオラインを表わす標識信号を発生させるライン位置回路と、
上記ライン位置回路から標識信号を受けるため動作的に接続され、標識信号に応じて、カラーストライプ変更が存在する全部のラインよりは少ない本数であり、許容可能なビデオ録画を行なうために十分な本数のライン内でカラーストライプ変更を変更するビデオライン変更器と、
を含む装置。
【請求項２８】
ライン位置回路はカラーストライプ変更が存在するラインを示すデータが記憶されたメモリを含む、請求項27記載の装置。
【請求項２９】
ライン位置回路はカラーストライプ変更が含まれるビデオラインを判定する位相変調検出回路を含む、請求項27記載の装置。
【請求項３０】
上記位相変調検出回路は、
特定の位相を有するタイミング信号を発生するタイミング回路と、
上記タイミング信号及び上記ビデオ信号のカラーストライプ変更を受け、上記カラーストライプ変更の位相が上記タイミング信号の位相と異なることに応じて標識信号を発生する位相比較器と、
を含む請求項29記載の装置。
【請求項３１】
上記変更器は、全部よりは少ないが十分な本数のライン内でカラーストライプ変更の全部には満たない少なくとも一部を変更する手段を含む、請求項27記載の装置。
【請求項３２】
上記変更器は、
カラーバースト周波数を発生するカラーバースト周波数発生器と、
全部のラインよりは少ない本数のライン内でカラーストライプ変更の少なくとも一部を、上記発生されたカラーバースト周波数で置き換える手段と、
ビデオ信号の２フィールド分の倍数の間隔で、上記発生され置き換えられたカラーバースト周波数の位相をリセットする手段と、
を含む請求項27記載の装置。
【請求項３３】
上記変更器は、
カラーバースト周波数を発生するため、水平同期パルスの周波数を逓倍するカラーバースト発生器と、
上記ラインの少なくとも一部でカラーストライプ変更の少なくとも一部を、上記発生されたカラーバースト周波数で置き換える手段と、
を含む請求項27記載の装置。
【請求項３４】
上記変更器は、カラーバースト変更の全部には満たない少なくとも一部の位相をシフトするカラーバースト位相シフタを含む、請求項27記載の装置。
【請求項３５】
上記変更器は、
位相シフトされたカラーバースト信号を発生するカラーバースト信号発生器と、
標識信号に応じて、ビデオ信号の各ラインでカラーストライプ変更の全部には満たない少なくとも一部に、発生されたカラーバースト信号を挿入する手段と、
を含む請求項27記載の装置。
【請求項３６】
上記変更器は、標識信号に応じて、カラーストライプ変更の影響を変更すべく、ビデオラインの全部には満たない各ラインのアクティブビデオ部分の少なくとも一部を遅延させる遅延素子を含む、請求項27記載の装置。
【請求項３７】
上記変更器は、
選択されたビデオライン内でカラーストライプ変更の位相誤差の量を判定する手段と、
上記判定されたカラーストライプ変更の位相誤差とは逆の位相のカラーバースト部分を夫々のカラーストライプ変更に加算する手段と、
信号のカラーバースト部分の加算された振幅を正常なカラーバーストレベルまで減衰させる減衰器と、
を含む請求項27記載の装置。
【請求項３８】
上記変更器は、
正常なカラーバーストの振幅よりも選択的に大きい振幅を有するカラーバースト信号を発生する信号発生器と、
上記発生されたカラーバースト信号を選択された本数のライン内でカラーバースト変更に加算する手段と、
信号のカラーバースト部分の加算された振幅を正常なレベルまで減衰させる減衰器と、
を含む請求項27記載の装置。
【請求項３９】
上記変更器は、
夫々のカラーストライプ変更の位相とは逆の位相を有する第１のカラーバースト信号を発生する発生器と、
正常なカラーバースト位相を有する第２のカラーバースト信号を発生する第２の発生器と、
上記第１のカラーバースト信号及び第２のカラーバースト信号を各ビデオラインのカラーストライプ変更の全部には満たない少なくとも一部に加算する手段と、
を含む請求項27記載の装置。
【請求項４０】
上記変更器は、
１ラインに対するカラーストライプ変更の位相の量を正常なカラーバーストに対して測定する手段と、
測定されたカラーストライプ変更の測定された位相の量とは逆の位相を有するカラーバースト信号を発生する発生器と、
あるラインと直後のラインとの間でカラーバーストの位相の正常な変化を生ずるように、上記発生されたカラーバースト信号を直後のラインに加算する手段と、
を含む請求項27記載の装置。
【請求項４１】
上記測定する手段及び加算する手段は、カラーストライプ変更を有する１行おきのラインだけに対し動作する請求項40記載の装置。
【請求項４２】
上記変更器は、全部のビデオラインより少ないが許容可能な録画を作成するために十分な本数のビデオライン内で上記カラーストライプ変更を除去する請求項27記載の装置。
【請求項４３】
上記変更器は、
ビデオ信号中のカラーバーストの位相をシフトする位相シフタと、
上記位相シフタに接続され、各ビデオラインにカラーストライプ変更を有する出力信号を供給する第１のスイッチと、
上記第１のスイッチの出力端子に接続され、位相シフトされたビデオ信号を供給する第２のスイッチと、
を含む請求項27記載の装置。
【請求項４４】
上記変更器は水平同期パルス減衰器を含み、
上記減衰器は水平同期パルスを除去、狭小化、シフト又は振幅減衰させる、請求項27記載の装置。
【請求項４５】
ペデスタル信号をビデオ信号の全てのアクティブビデオラインに加算する手段と、
上記減衰を受けない水平同期パルスの間隔を少なくとも６マイクロ秒まで拡大する手段と、
を更に有する請求項44記載の装置。
【請求項４６】
上記変更器は、カラーストライプ変更のカラーバーストの少なくとも一部分を正常なカラーバースト位相にヘテロダイン合成するヘテロダイン回路を含む、請求項27記載の装置。
【請求項４７】
所定の位相を有するカラーバーストを夫々に含む複数のビデオラインを含むビデオ信号の許容可能なビデオ録画の作成を阻止する方法において、
カラーバーストの間隔を判定する段階と、
各カラーバーストの間隔の半分より多く全部には満たない間隔の位相を上記所定の位相以外の位相に変更する段階と、
を含み、
これにより、ビデオ信号の許容可能なビデオ録画の作成が阻止される方法。
【請求項４８】
上記変更する段階は上記所定の位相を少なくとも20゜ずつシフトする段階を含む、請求項47記載の方法。
【請求項４９】
カラーバーストの間隔の少なくとも60％は変調される請求項47記載の方法。
【請求項５０】
各ビデオフィールドにおいて、少なくとも一つのビデオラインの帯に上記変更する段階が適用され、後続のビデオラインの帯には上記変更する段階が適用されない請求項47記載の方法。
【発明の詳細な説明】
発明の背景
発明の分野
本発明はビデオ信号を処理する方法及び装置に係わり、特に、ビデオ信号のカラーバースト成分の位相変調の影響を除去（無効に）する方法及び装置に関する。
従来技術の説明
参考として引用された1986年３月18日発行のジョン  オーライアンによる米国特許第4,577,216号“ビデオ信号を処理する方法及び装置（Method and Apparatus For Processing a Video Signal）”は、カラービデオ信号の認容されたビデオ記録の作成を阻止するためカラービデオ信号の変更を行うことを開示する。通常のテレビジョン受像機は、変更された信号から普通のカラー画像を生成する。しかし、引き続くビデオテープ録画から得られるカラー画像は、色誤差の帯又は縞として現れる色忠実度の変動を示す。日常、この変更は“カラーストライプシステム”又は“カラーストライププロセス”と称される。本発明の教示の商業的な実施例は、典型的に、色誤差又はカラーストライプが導入された１フィールド当たりのビデオライン本数を制限する。
カラービデオ信号（NTSC方式及びPAL方式の両方のテレビジョンシステムにおいて）は、所謂カラーバーストを含む。カラーストライプシステムはこのカラーバーストを変更する。テレビジョン送信器での色副搬送波信号の抑制は、カラーテレビジョン受信器が（NTSCにおいて）、色搬送波信号を再挿入し色信号を元の形式に復元するため復調の際に使用される3.58MHzの発振器を含むことを必要とする。この再挿入された副搬送波信号の周波数及び位相は色再生のため決定的である。従って、周波数及び位相が送信器側の副搬送波信号と一致するようにカラーテレビジョン受信器の局部3.58MHz発振器を同期させることが必要である。
この同期は、水平帰線消去パルスのバックポーチ期間中に送信器の3.58MHzの副搬送波信号の小さいサンプルを送信することにより実現される。図1Aには、カラーテレビジョン用の一つの水平帰線消去期間が示されている。水平同期パルス、フロントポーチ及び帰線期間の間隔は、白黒テレビジョン用のものと本質的に同一である。しかし、カラーテレビジョン伝送（放送及びケーブルの両方）中に、3.58MHz副搬送波の８乃至10サイクルがバックポーチに重畳される。この色同期信号は、“カラーバースト”又は“バースト”と称される。カラーバーストのピーク・ツウ・ピーク振幅（図示される如く、NTSC方式テレビジョンの場合に40IRE）は、水平同期パルスと同じ振幅である。
図1Bは実際のカラーバーストサイクルを含む図1Aの波形の一部分の拡大図である。カラーテレビジョン帰線消去期間中に、上記カラーバーストは各水平同期パルスに続いて送信される。
カラーストライププロセスの商業的な一実施例において、カラーバースト位相（ストライプ）変更は、垂直帰線消去期間中にカラーバースト信号を有するビデオラインで現れない。これらのビデオラインは、NTSC信号の場合にライン10乃至21であり、PAL信号の対応するラインである。カラーストライプ変更は、可視的なテレビジョンフィールドの４乃至５本のビデオラインの帯で生じ、その後に、カラーストライプ変調のない８乃至10本のビデオラインの帯が続く。帯の位置は固定（“静止”）したフィールドとフィールドの間である。このカラーストライププロセスは、特に、参考のため引用されたジョン  オー  ライアンによる米国特許第4,631,603号の教示と組み合わされたとき、ケーブルテレビジョンに対し非常に効果的であることが分かった。
NTSC方式テレビジョンにおいて、カラーバーストの開始は、カラーバースト振幅の50％以上である副搬送波（カラーバースト）の第１の半サイクルより先行する零クロス（正又は負の勾配）によって定義される。カラーストライププロセスは、カラーバーストサイクルの位相を、図1Bに示されるようなその正規（正しい）位置に対しシフトすることに注意する必要がある。位相シフトしたカラーバーストは図1Cに示されている。図1Cに示された位相シフトの量は180゜（実現可能な最大値）である。
また、カラーストライププロセスの位相シフトの量は、例えば、20゜から180゜まで変更することが可能であり、位相シフトが大きいほど、色シフトに関する視覚的効果が顕著になる。PAL方式テレビジョンのカラーストライププロセスの場合に、やや大きい位相シフト（例えば、40゜乃至180゜）が効果的に使用される。
他のカラーストライププロセスの変形も実現可能である。
参考のため引用された1986年12月２日発行のジョン  オーライアンによる米国特許第4,626,890号“カラーバーストから位相変調を除去する方法及び装置（Method and Apparatus For Removing Modulation From the Color Burst）”は、米国特許第4,577,216号に記載された位相変調の除去を開示する。この除去は、録画に関する米国特許第4,577,216号に記載されたプロセスの殆どの影響を除去する際に有用である。
発明の概要
本発明は、上記米国特許第4,626,890号の教示に対する改良、特に、上記米国特許第4,577,216号のカラーストライププロセスに記載されているようなある種の変形の影響を除去又は削減することに関係した改良が実現可能であることを明らかにした。
かくして、本発明による回路は、カラーストライププロセスが顕在化しないように、即ち、カラーバースト信号がテレビジョンセット又はビデオカセットレコーダに影響を与えないように、カラーストライププロセスを変更及び／又は除去し、或いは、ビデオ信号を変更する。
一実施例において、カラーストライプカラーバーストのビデオラインの位置は分かっている。即ち、上記のカラーストライププロセスの商業的な実施例と同様に、カラーストライプによりカラーバーストが変更されたビデオラインが分かっている。それらの位置は、上記ビデオラインを示す信号を与える予めプログラムされたメモリに記憶される。また、同一の予めプログラムされたメモリは、カラーストライプバーストの全体が変更されるべきか、又は、一部分だけが変更されるべきであるかを示す。
ビデオ信号を受け、カラーストライプバーストの位置に関する情報を使用する変更回路は、カラーストライププロセスの影響が減衰又は除去されるように、カラーストライプバーストを除去及び／又は変更し、或いは、ビデオ信号を変更する（即ち、カラーストライプバーストの直前にある水平同期パルスを変更する）。
本発明に関して言うと、カラーストライプバーストを完全に除去する必要はないことが分かった。典型的な商業的に入手可能なテレビジョンセット及びビデオカセットレコーダを用いて、カラーストライプバーストの一部分を除去し、カラーストライプバーストの振幅又は間隔を減衰し、若しくは、各カラーストライプバースト又は殆どのカラーストライプバーストの一部分を除去又は減衰することは、カラーストライププロセスの影響を解消するため効果的であり、録画可能（複製可能）なビデオ信号を生成し得るようになることが分かった。
カラーストライププロセスがライン位置に固定されない場合がある。或いは、場合によっては、カラーストライププロセスが固定されているとしても、再プログラムされたメモリを与えることは望ましくない、若しくは、実現可能ではないことがある。このとき、位相検波器は、各ビデオライン毎にカラーストライプバーストの存否を検出し、即ち、位相変調が生じたカラーバーストを検出する。カラーストライプバーストの検出後、変更回路は、カラーストライプバーストの影響を減衰又は除去するため（上記の如く）カラーバースト又はビデオ信号の他の部分（即ち、水平同期パルス）を変更する。
本発明に従ってカラーストライプバーストを補正又は置換することにより、位相シフト（変調）を完全に除去しなくてもよい点に注意する必要がある。典型的な視聴者は付加的な色シフトを認知しないので位相シフトをある程度小さい値（例えば、NTSC方式の場合に５゜以下）に低下させることは効果的である。
かくして、本発明の方法及び装置には数通りの実施例が存在する。事前の分析から位置を知ること又は実際の検出のいずれかによって、カラーストライプバーストの位置を決定する方法には様々な種類がある。以下にカラーストライププロセスを無効にする種々の実施例が開示される。上記の如く、これらの実施例は、一般的に、最初に、事前の分析から位置を知り、例えば、プログラマブルメモリにその位置をプログラムすることにより、或いは、ビデオの１ラインずつについて個々のカラーストライプバーストカラーバーストを検出することにより、カラーストライプバーストのビデオライン位置を判定する。カラーストライプバーストの位置を判定する上記の方法は、いずれも種々の回路により実現され得る。
他の一例として、ライアンの上記米国特許第4,626,890号に記載された回路とは異なる特定の回路によって正しいバーストを発生し、全てのカラーバーストを正しい位相バーストで置き換える。
カラーストライプバーストビデオラインの位置が静止している場合に）カラーストライプバーストの位置の知識に基づく典型的な回路は、入力ビデオ信号から垂直及び水平タイミング信号を発生し、それらから、各ビデオフィールド内の特定のビデオラインと、カラーバーストに対する変更を加えることが望ましい特定のビデオラインの一部分とを示す標識信号を発生する。
検出器の解決法は、典型的に、カラーバーストの位相を判定する位相ロックループ、水晶フィルタ又は周波数逓倍回路のような副搬送波再生回路を含む位相検波器を使用し、次に、検出された位相を（位相比較器を用いて）公称位相と比較し、カラーストライプ信号が存在するとき、即ち、カラーバースト位相が公称（正しい）位相から偏るように変調されているとき、標識信号を発生する。この標識信号は、次に、上記ラインに対する望ましい変更を制御する。
カラーストライププロセスを無効にするためのビデオラインに対する実際の変更は、二つの主なカテゴリに分類される。第１のカテゴリにおいて、カラーバースト自体がその典型的なビデオカセットレコーダへの影響を無効にする（除去又は減衰する）よう変更される。第２のカテゴリにおいて、カラーストライプバーストの直前にある水平同期パルスは変更され、ビデオカセットレコーダが後続のカラーストライプバーストに応答しないようにさせる。
（カラーストライプバースト自体が変更される）第１の解決法は幾通りかの方法で実現され得る。
一実施例においてカラーストライプバーストは消され、置換されない。或いは、カラーストライプバーストは消され、正しい位相の新しいカラーバーストが代わりに挿入される。若しくは、カラーストライプバスは、位相が補正されるように位相シフトさせられる。
他の実施例において、カラーストライプバーストは先行する水平同期パルスの後縁に対して時間的に遅延されるので、カラーストライプバーストはビデオカセットレコーダカラーバースト回路の検出ウィンドウの外側で発生する。
他の実施例において、カラーストライプバーストに存在する位相誤差（シフト）が測定され、負のベクトル位相のカラーバーストがそこに加算され、合計されたカラーバーストが通常のレベルまで減衰される。他の実施例において、正しい位相の非常に大きい振幅のカラーバーストがカラーストライプバースト位置で加算され、加算されたカラーバーストは正規のレベルまで減衰され、かくして、カラーストライプバーストの影響を効果的に除去する。（これは、カラーストライプバーストを有するビデオライン並びにカラーバーストストライプラインではないビデオラインを含む全てのビデオライン上で行うことが可能である。）
他の実施例において、反転された位相（カラーストライプバーストの位相と逆の位相）のカラーバーストは、カラーストライプバーストを実質的に打ち消すため加算され、次に、正しい位相のカラーバーストが加算される。他の関連した実施例において、正規のカラーバーストの正しい位相が判定され、正規のカラーバーストの位相とカラーストライプバーストの位相との間の差が測定される。次に、その差に関して負の位相を備えた信号が発生され、カラーストライプバーストを変更するため使用され、交互のライン内の正しいバーストから位相的に同じ角度の量だけ“偏り”のあるカラーバーストを生成する。一例として、カラーストライプバースト位相は＋45゜である。次に、＋90゜の位相を有するカラーバーストの約半分を有する各カラーバーストを用いて充分な本数のテレビジョンラインを変更し、同時に、カラーバーストの残りの半分が−90゜の位相（反対の位相角）を持つように変更する。この偏りは典型的なビデオカセットレコーダにより平均化される。
他の実施例において、テレビジョンフィールド全体を通じて正しい位相からなる全てのカラーバーストは、カラーストライプバーストの位相又はある（任意の）クロマ位相角を有するカラーバーストにより置き換えられる。次に、対応する各テレビジョン水平ラインのクロマ位相は、カラーストライプバーストの位相と一致するように、又は、任意のクロマ位相角になるように変更される。
上記の各実施例において以下の点に注意する必要がある。即ち、特定のカラーストライプバーストの全体を変更する必要がないことが判明し、カラーストライプバーストの半分しか変更しなくても、カラーストライプバーストの典型的なビデオカセットレコーダに対する影響が効果的に除去されることが分かった。また、ビデオフィールド内にある各カラーストライプバーストを変更しなくてもよく、カラーストライプシステムの典型的な商業上の一実施例の場合に、典型的なビデオカセットレコーダは元のカラーストライプバーストの半分が残されているだけで信号の複製可能な録画を行えることが分かった。
カラーストライプバースト自体に対する変更を含む他の実施例は、カラーストライプバースト信号を正しい位相にヘテロダイン合成する。ビデオカセットレコーダで行われるように、バーストを効率的に消すためにヘテロダイン合成を用いてもよい。その結果として、例えば、カラーストライプバーストは、ビデオカセットレコーダが応答しない新しい周波数、即ち、通常のテレビジョン副搬送波周波数よりも実質的に高い又は実質的に低い周波数にヘテロダイン合成される。
カラーストライププロセスを無効にする方法のもう一方の広いカテゴリは、少なくともカラーストライプバーストの一部の位置よりも先行する水平同期パルスに対する種々の変更を使用する。ビデオカセットレコーダの同期分離器が水平同期パルスの検出に失敗した場合、ビデオカセットレコーダはバーストサンプリングパルスを発生しないので、後続のカラーストライプバーストを検出しない。かくして、カラーストライプバーストラインの水平同期パルスを除去することにより、複製可能なビデオ信号が得られる。更に、実際の水平同期パルスの除去は必要ではなく、その代わりに、水平同期パルスは、例えば、水平同期パルスがビデオカセットレコーダ内の対応した同期分離回路によって検出でない点、従って、後続のカラーストライプバーストが検出されない点まで水平同期パルスの幅を狭めることにより幅（間隔）を縮小してもよいことが分かった。
また、カラーストライプバーストと一致した水平同期パルスの一部分だけを除去することにより、カラーストライププロセスの有効性を低下する。水平同期パルスを変更する他の実施例は、水平同期パルスの上方への直流レベルシフトを含み、これにより、ビデオカセットレコーダ同期分離器は出力信号を生成し得なくなる。
水平同期パルスに関係した他の実施例では、水平同期パルスがビデオカセットレコーダの同期分離器により検出されないように、水平同期パルスをブラッククリップ又は振幅減衰することである。
水平同期パルスに関係する他の実施例は、水平同期パルスの後縁とカラーストライプバーストの始まりとの間に約２マイクロ秒の遅延を加え、これにより、ビデオカセットレコーダのカラーバーストサンプリングパルスは、遅延されたカラーストライプバーストの標本化に失敗し、カラーストラップバーストを見落とす。
本発明の他の面は、ディジタル信号の許容可能なビデオ録画の作成を阻止すること、即ち、カラーバーストの一部分だけの位相変調によってビデオ信号を変更することによるビデオコピー防止に向けられる。
本発明の説明は一般的にNTSC方式テレビジョンについて行われるが、当業者に周知のタイプの比較的小さい変更を加えることにより、本発明の方法及び装置は、NTSC方式と同様に水平同期パルスの直後にカラーバーストを有するPAL方式テレビジョンシステムと共に使用する場合にも適当であることに注意する必要がある。NTSC方式とPAL方式のテレビジョンの主な相違点、即ち、１フィールド当たりのラインの本数及び１秒当たりのフィールド数は、本発明に本質的ではなく、以下に説明する回路はPAL方式テレビジョンを受容するため容易に変更される。
【図面の簡単な説明】
図1A及び1Bは標準的なNTSC方式テレビジョン波形を表わす図である。
図1Cは図1Bの波形に対する変更、即ち、カラーストライププロセスを表わす図である。
図2A乃至図2Gは、本発明に従ってカラーストライププロセスを無効にする種々の方法を示す波形を表す。
図３は本発明による装置のブロック図である。
図4A乃至図4Cは、カラーストライププロセスを無効にするため正しい色副搬送波周波数及び他の信号を発生する回路を表わす図である。
図5A及び5B並びに図6A及び6Bはカラーストライププロセスを無効にする種々の回路を表わす図である。
図７は、水平同期パルスの除去と共に利用される再生性を改良するための回路を表わす図である。
図８はカラーストライププロセスを打ち消す別の回路を表わす図である。
図９は副搬送波再生用回路を表わす図である。
発明の詳細な説明
以下、カラーストライププロセスを無効にする多数の実施例を説明する。最初に波形及びプロセスを説明し、次に種々の関連した回路について説明する。
プロセスの説明
本発明による種々のカラーストライプ無効プロセスを列挙する。
1.  一つ以上のカラーバースト位相ロックループ（又は他の回路）が平均カラーバースト位相を検出するため使用され、次に、全てのカラーバーストが（カラーストライプであるか否かとは無関係に）ビデオ信号全体を通じて置換される。
この置換は特定のカラーバーストの一部分だけでもよい。例えば、NTSCカラーバーストの標準的な８乃至10サイクルの中で、例えば、最初の５サイクル、最後の５サイクル、若しくは、他のいずれかの４乃至６サイクルのグループを置換してもよい。置換されたサイクルは連続的でなくてもよく、“悪い”（カラーストライプ）サイクルが間に散在した“良い”（補正された）サイクルを残しながら交互のサイクルを置換しても構わない。正常な位置の外側にあり、水平同期パルスと重なり合う補正バーストカラーサイクルは、ビデオカセットレコーダにより検出されるので、補正バーストカラーサイクルを加算することが可能である。特定のカラーバーストの一部分だけが置換されればよいという本発明による認識は、本発明の一部を構築することに注意する必要がある。更に、以下に説明する他の実施例に部分的な置換を適用してもよい。
2.  水晶又は水平ライン位相ロックドループ（又は、バーストクリスタルフィルタのような等価物）は、（NTSCテレビジョンの場合に）水平ライン周波数の455又は910倍の周波数からなり色周波数まで分周された信号を供給し、奇数又は偶数フィールド識別に基づいて各フィールド毎に位相リセットされる。この色周波数は、複製可能な結果を得るため全部又は十分なカラーストライプバーストを（上記の意味で）置換するため使用される。
3.  カラー位相ロックループは、カラーストライプが付けられた特定の水平ビデオラインを識別するため使用され、次に、カラーストライプバーストは、有効な録画を実現するため（例えば、通常の位相シフタ回路を用いて）位相シフトされる。
4.  カラーストライプ水平ラインを判定し、このカラーストライプラインと同時に、カラーストライプバースト又は全てのバーストを置換するため位相シフトされたカラーバーストに切り替える。
5.  カラーストライプビデオラインを（例えば、カラー位相ロックループにより）検出、若しくは、カラーストライプビデオラインを識別し、複製可能な信号を与えるため、各アクティブビデオライン即ちクロマを遅延させる。
6.  カラーストライプビデオラインを（例えば、カラー位相ロックループにより）検出、若しくは、カラーストライプビデオラインを識別し、複製可能なカラーストライプの無いテープを作成するため、カラーストライププロセスがある場所のアクティブライン中のクロマを位相シフトする。クロマの位相シフトは、抵抗を介して入力信号に接続された反転端子と、キャパシタを介して入力信号に接続された非反転端子とを有する演算増幅器のような通常の回路により実現される。演算増幅器の入力端子は抵抗を介して反転端子に接続され、同じ値の抵抗が演算増幅器の反転入力端子と出力とに接続されている。
7.  カラーストライプバーストが発生しているビデオラインの位置を見つけだし、次に、カラーストライプバースト位相誤差を測定する。これは、一方の入力としてカラーストライプバーストを備えた位相検波器と、第２の入力を供給する色副搬送波再生回路（例えば、カラー水晶共振回路）とを用いて行われる。負のベクトル位相のカラーバーストがバースト位相を補正し、（一変形バージョンでは）バースト振幅を例えば40IREユニットの正規のレベルまで再調整するため加算される。
8.  カラーストライプバーストが発生しているビデオラインの位置を見つけだし、正しいカラーバーストの非常に大きい振幅をカラーストライプバーストに加算することによりカラーストライプバーストを効果的に置換し、次いで、結果として生ずる加算されたバーストを減衰し、かくして、不正確なカラーストライプのあらゆる影響を効果的に除去する。
9.  最初にカラーストライプバーストの位置を検出し、次に、カラーストライプバーストを実質的に消すため逆位相のカラーバーストを加算し、正しい位相のカラーバーストを加えることによりカラーストライプバーストを置換する。このため、上記の如くの観察又は測定によってカラーストライプバーストの位相を確かめることが必要である。このプロセスによって、バーストを消すことなくカラーストライプバーストの置換が得られる。
10.  通常のカラーバースト信号の正しい位相を検出し、通常のカラーバーストとカラーストライプバースト信号との間の位相差を検出するため、色周波数位相ロックループ（又は他の方法）を用いる。この情報を用いることにより、上記の差の負の位相を備えた信号を発生し、この信号を使用して、あるラインから次のラインまでの間、若しくは、同一ラインのバースト部分内で正しいバーストから同じ量で位相が偏るカラーバーストを生成するため負の位相バースト信号を伴うカラーストライプバーストの全部又は一部を変更する。ビデオカセットレコーダは、テレビジョンラインから次のラインまで変動している正又は負の位相バースト信号、及び／又は、各テレビジョンライン内の正／負のバースト位相部分を平均化する傾向がある。従って、得られた信号は変更されていないカラーストライプ信号よりも色相誤差が小さいという傾向がある。
上記の方法の変形例は図2A以降に示される。図2Aは、図1Cの水平同期パルス及びカラーストライプバーストを（簡略化された形式で）表わす。ハッチング領域はカラーストライプバースト領域であり、個別のカラーバーストサイクルは簡単化のため示されない。図2Aの場合に、ハッチングで示される如く、カラーバースト全体が位相シフトされている。
カラーストライププロセスを無効にする一つの方法が図2Bに示され、同図において、カラーストライプバーストの一部分（右側又は下側部分）は、ハッチング無しで示される如く、正しい位相及び／又は負のカラーストライプバースト位相になるように変更される。上記の如く、カラーストライプバーストの間隔の約半分以上が位相補正され、又は、消されるならば、カラーストライプバーストは効果的に無効にされることが分かった。即ち、NTSCカラーバーストは８乃至10サイクルの長さであり、上記サイクルは４乃至６サイクルに変更することが適当であることが分かった。
図2Cには、カラーストライププロセスを無効にする別の方法が示され、同図において、カラーストライプバーストの中央部分が示されている。第１及び第２の部分は正しい位相に補正され、ビデオカセットレコーダ及び／又はテレビジョンセットの適切なカラー機能を実現するために、カラーストライプバーストの全体は存在しなくても構わないことを表わす。
図2Dは、図2B及び2Cの変形を示し、カラーストライプバーストの最初の部分及び最後の部分は位相が補正され、中央部分の位相は依然として不正確なままである。図示される如く、カラーバーストの略30％乃至40％は不正確な位相のままであるが、それでもカラーストライププロセスを効果的に無効にする。
図2Eにおいて、カラーストライプバースト全体は、代替物が設けられることなく消されている。この場合、殆どのテレビジョンセット又はビデオカセットレコーダを効果的に機能させるため、各ビデオライン毎にカラーバーストは必要とされないことが分かる。
図2Fにおいて、カラーストライプバーストの最初の部分は消され、その代わりに、正しい位相からなる数サイクルのカラーバーストが実際の水平同期パルスの上に重ねられる。この場所でも、カラーバーストは、テレビジョンセット又はビデオカセットレコーダの色同期回路により検出される。カラーストライプバーストの一部分、即ち、中心部分が依然として存在し、カラーストライプバーストの最後の部分は通常の位相になるように補正されている。
図2Gには、カラーストライプバーストが正しい位相からなるように置換又は変更することにより、カラーストライプバースト全体の位相が補正されている最終的な明瞭な一変形例が示される。
他の無効方法は水平同期パルスに関係した方法を含む。
11.  テレビジョンフィールド全体を通じて全ての正しい位相カラーバーストをカラーストライプバーストの位相を有するカラーバーストで置換する。次に、カラーストライプバーストのクロマ位相と一致するように対応した各アクティブ水平テレビジョンラインのクロマ位相を変更する。例えば、カラーストライプバースト位相が正しいカラーバースト位相から180゜偏っている場合に、正しいカラーバースト位相カラーバーストを180゜ずつ変更する。全てのカラーバーストを、任意の位相を有するバーストで置換し、任意の位相と一致するようにテレビジョンラインのアクティブ部分のクロマ位相を位相シフトしてもよい。
この変更は、位相シフト及び／又は遅延回路及び／又は反転増幅器により実現される。この変更を用いることにより、各テレビジョン水平ラインのクロマ位相は上記の如く変更されたバーストのクロマ位相から180゜ずつ偏る。この偏りを補正するため、クロマを180゜ずつ位相シフトすることにより各テレビジョンアクティブラインを変更する。これは、変更されたカラーバーストと共に、元のビデオアクティブ水平テレビジョンラインの位相シフトされ、遅延したバージョンに切り替えることにより実現可能である。充分な数の正しいカラーバーストを変更し、充分な数のテレビジョン水平ラインを位相シフトすることにより複製可能な録画を実現し得る。
12.  ビデオカセットレコーダのバースト検出回路（通常、先行する水平同期パルスに基づいている）が動作禁止状態になるように水平同期パルスを除去する。水平同期パルスは数種類の方法で効果的に“除去”することが可能である。例えば、少なくともカラーストライプバーストの数カ所で直前の水平同期パルスを除去し得る。例えば、カラーストライプバーストビデオラインの帯と一致する４個の水平同期パルスを除去することにより、ビデオカセットレコーダの水平ラインタイミングに悪影響を与えることなく複製可能な録画が行える。上記の水平同期パルスの除去は、カラーストライプバーストラインと一致する水平同期パルスを狭めることにより行ってもよい。この狭小化は、カラーストライプの有効性が複製可能な録画を作成できる点に下げられるまで行われる。一例として、水平同期パルスは100ナノ秒の幅まで狭められる。カラーストライプバーストラインと一致した水平同期パルスの一部分だけを除去することにより、カラーストライプ信号の有効性が低減されることが分かった。例えば、カラーストライプバーストが発生した一つおきのラインで、水平同期パルスがそのラインから除去される。
13.  カラーストライプバーストよりも先行する水平同期パルスの直流レベルを上方にシフトする。これにより、ビデオカセットレコーダの同期分離器は、上記のレベルシフトされた水平パルスに応答して出力を生成できないようになる。水平同期パルスを効果的に除去する別の方法は、ビデオカセットレコーダの同期分離器がより小さくなった水平同期パルスを検出しなくなり、これにより、カラーストライプバーストが存在するときにバーストサンプリングパルスを生成しなくなるように、水平同期パルスを約20IREまでブラッククリップ又は振幅減衰することである。
上記の最後の二つの方法は、水平同期パルスを失うことに起因して“再生性”の問題を生ずる可能性がある。“再生性”とは、結果として得られるビデオ信号が不適切な水平同期パルス分離により発生させるようなアクティブビデオの“切り取り”に起因して重大な視覚的欠陥を含むことを意味する。このため、テレビジョン受像機又はビデオカセットレコーダのいくつかの同期分離器は、誤った水平同期パルスを発生するようになる。このような再生性問題を最小限に抑えるため、アクティブテレビジョンラインのはじめに０（IRE）であり、アクティブテレビジョンラインの終わりで約10（IRE）までのランプのようなペデスタル電圧又は信号を全てのアクティブテレビジョンラインに加算し、及び／又は、他の全ての水平同期パルス幅を約６マイクロ秒に拡幅してもよい。
14.  水平同期パルスの後縁とカラーストライプバーストの始めとの間で（水平同期パルスによってトリガされた）ビデオカセットレコーダのバーストサンプリングパルスが遅延されたカラーストリップバーストの標本化に失敗（見落とす）ように、カラーストライプバーストが存在するビデオライン中で、約２マイクロ秒以上の遅延を加える。
15.  得られた結果が正しい位相を有するようにカラーストライプバースト信号を混合することにより、カラーストライプバースト信号を正しい位相にヘテロダイン合成する。
16.  ビデオカセットレコーダがカラーストライプバーストに応答しないように、カラーストライプバーストを新しい周波数にヘテロダイン合成する。例えば、カラーストライプバーストは、15MHz信号又は2MHz信号にヘテロダイン合成することによりシフトされる。
上記の何れの実施例においても、カラー位相ロックループを共振回路のような少なくとも１段の水晶フィルタリングで置き換えてもよい。
一般的な回路
図３は、上記のカラーストライププロセスを無効にする方法を実施する本発明による装置のブロック図である。入力されたビデオ信号“ビデオイン”は典型的にケーブルテレビジョンソースから供給されるが、予め録画されたビデオテープのような他のソースから供給することも可能である。（しかし、カラーストライププロセスは一般的に予め録画されたビデオテープに適当ではない。）入力ビデオ信号はカラーストライプ位置メモリ12を含む回路に供給される。このメモリは典型的にプログラムされた読み出し専用メモリ、例えば、EPROMであり、NTSCテレビジョンフィールドの525本のラインの中でカラーストライプバーストが載るラインを示すデータを含む。このEPROMは回路の組み付けの前にプログラムされ、カラーストライプの場所は観察により判定される。従って、カラーストライプパターンは、上記の如くカラーストライプバーストを有する４本のビデオラインと、後続するカラーストライプバーストの無い８本のビデオライン等を備えた商業的な実施例であることが分かる。メモリ12からのカラーストライプ位置の出力信号はカラーバースト信号が載せられたラインを示すライン位置ゲート（LLG）信号を含む。LLG信号は、かくして、カラーストライプバーストを有するラインの全期間に亘りハイである。
カラーストライプメモリ12からの第２の出力信号は、変更されるべきカラーバーストの部分を正確に示す画素位置ゲート（PLG）信号である。上記の如く本発明のある実施例において、各カラーバーストの一部分だけが変更され、他の部分は変更されないので、LLG信号は有用である。かくして、典型的にPLG信号はカラーストライプバーストの一部分の間だけにハイであり、カラーストライプバースト全体を変更及び／又は除去することが望まれる場合にカラーストライプバーストの全期間に亘りハイでも構わない。
PLG信号を発生するためのデータも、カラーストライプバーストを例えば20個のセグメントに分割し、上記の各セグメントを変更若しくは変更しないために充分なデータを記憶するメモリ12の一部に記憶される。NTSCテレビジョンのカラーバーストは８乃至10サイクルの期間からなり、上記各サイクルはPLG信号によって別々に処理される。
発振器16は、副搬送波周波数信号（NTSCの場合に3.58MHz）を有する出力信号を発生する。この発振器（タイミング信号発生器）は、例えば、位相ロックループ若しくは水晶フィルタ発振器でもよく、又は、水平同期パルスエッジの周波数から副搬送波周波数を取得し、回路を正確な色副搬送波周波数に固定させるため水平同期パルス周波数を周波数逓倍器又は位相ロックループにより逓倍する。
位相検波器回路18は、論理的ハイ又は論理的ローのいずれかであり、カラーストライプ検出器（CSD）信号と称される出力信号を発生する。かくして、信号がハイのとき、カラーストライプバーストが特定のビデオラインで検出された旨を示す。このCSD検出信号は、カラーストライプバーストのビデオライン位置が分からないときに有用である。これは、カラーストライプバースト位置が動的であるとき、即ち、静止していないときに典型的に使用される。かくして、位相検波器はLLG信号を用いる代わりに使用され、両者は典型的に一つの回路で使用されない。従って、図３の回路は、共通素子を共有するいくつかの選択的な回路の一般的な表現であり、説明の目的のため一つの回路だけが示されている。
位相検波器回路18は位相検波器を含み、位相検波器の出力信号は特定のカラーバーストの位相を通常のカラーバーストの位相と比較するため比較器に供給される。比較によって差が示されないならば、カラーストライプ検出器信号はローであり、即ち、カラーストライプバーストは存在しない。一方、差がある場合、カラーストライプ検出器信号は、カラーストライプバーストの存在を示すハイ信号である。
図３の右側部分には汎用変更回路22が示される。回路22は、ビデオ信号に対し一つのタイプの変更を行う上記の多数の回路の中の何れの回路でもよく、以下にその回路を詳述する。入力としてカラーストライプの出現の表示、即ち、LLG信号又はCSD信号の内のいずれかの信号と、変更されるべきカラーストライプの部分を示すPLG信号と、副搬送波周波数信号とを受けるだけではなく、変更回路は入力ビデオ信号を受ける。
変更回路22の出力信号は、カラーストライププロセスを含まない（若しくは減衰したカラーストライププロセスだけを含む）ので、典型的に市販されているビデオカセットレコーダにより複製可能であるビデオ信号“ビデオアウト”である。
以下に更に説明するように、変更回路は、カラーストライプバーストの直接的な変更によりカラーストライププロセスを減衰又は除去し、若しくは、カラーストライプバーストの直前にある水平同期信号に基づいて選択的に動作し、水平同期パルスを変更することによりビデオカセットレコーダに後続のカラーストライプバーストを無視させる。
従って、位相検波器の出力（CSD信号）又はLLG信号をPLG信号と論理的にAND演算することにより、変更すべきビデオライン及び各ラインの中で変更されるべき部分を選択してもよい。上記の如く、一般的に、例えば、特定のカラーストライプバーストに関してカラーストライププロセスを無効にするため、特定のカラーストライプバーストの僅かに半分だけを変更するのが適当であることが分かった。その上、カラーストライププロセスの典型的な商業的な実施例に対し、カラーストライプバーストの半分しか変更又は除去せずに、カラーストライププロセスを効果的に無効化し、即ち、複製可能なビデオ信号を提供することが経験的に分かった。明細書中、用語“複製可能”及び“録画可能は、共に、ビデオカセットレコーダにより録画され、次に、再生されたときに結果として得られるビデオ信号が、カラーストライププロセスに起因して実質的な色相欠陥のない可視的なテレビジョン画像であることを意味する。かくして、上記の用語は、ビデオ信号の可視性に関してカラーストライププロセスの影響の効果的な除去（無効）と関連性がある。
回路の実施例
図4A、4B及び4Cは、装置の出力ビデオ中のカラーバースト信号成分を置換するため使用され得る正しい色副搬送波及び他の信号を発生する数通りの例示的な回路を示す図である。また、図4Cは、複製可能なビデオ信号を得るため、カラーストライププロセスを無効にするタイミング信号を発生する回路を示す。このように、図4A、4B、4Cと、図5A、5Bと、図6A、6Bとは、図３の回路の種々の特定のバージョンを表わす図である。
（ケーブルテレビジョンのような）ビデオソースからのコピー防止ビデオは、周知の技術を用いてベースバンドビデオを生成するため通常通り復調される（図示しない）。コピー防止ビデオは、一般的に、水平及び垂直同期信号と副搬送波とがコヒーレントな安定したビデオを含み、かつ、上記のカラーストライププロセスを含む。コピー防止は、上記ライアンの米国特許第4,631,603号に記載されるような疑似同期信号及びAGCパルスペアと、同じく参考のため引用されたジョン  オー  ライアンによる米国特許第4,819,098号に記載された立ち上がりバックポーチパルスとを含む。上記疑似同期信号及びAGCパルスペアは、同じく参考のため引用されたジョン  オー  ライアンによる米国特許第4,695,901号に記載された技術を用いて除去される。また、本発明に関連したコピー防止及び無効技術が開示されたクァン（Quan）他による米国特許第5,194,965号、クァン他による米国特許第5,157,510号、ウォンフォー（Wonfor）他による米国特許出願第08/062,866号を引用する。
ベースバンドビデオイン信号（図4Aを参照のこと）は、増幅器A1及びA2に入力される。増幅器A1の出力は、例えば、ナショナルセミコンダクター社製の品番LM1881又はその等価物である同期分離器U1に結合される。同期分離器U1はライン16上のフレームパルスと、ライン18上の水平同期パルスと、ライン20上のバーストゲート信号とを発生する。増幅器A2はシンクチップクランピング増幅器として動作する。ワンショットU89は、増幅器A2が特定の電圧、即ち、−40IREまで同期パルスでクランプされるように同期パルスサンプルパルスを発生する。
入力信号がバックポーチクランプ回路を不正確に作動させる上記の疑似同期信号及びAGCパルスを含むので、シンクチップクランピングが必要である。増幅器A1の出力信号は約１ボルトのピーク・ツウ・ピークであり、増幅器A2のビデオ出力信号の帰線消去レベルは約０ボルトにクランプされる。バーストゲートインバータU20はスイッチSW1の制御端子に結合される。増幅器A2からのクランプされたビデオ信号は、スイッチSW1の第１の入力及び図4Cの“クランプビデオ”出力ラインに結合される。スイッチSW1の第２の入力端子は接地される。
スイッチSW1は、ゲート制御されたカラーバースト信号をライン30上に生成するため、入力ビデオのカラーバースト部分をゲート阻止する。クロマ増幅器A3は、ライン30上のゲート制御されたカラーバースト信号を増幅し、その出力端子34はANDゲートU100の第１の入力端子に結合される。ゲートU100のもう一方の入力端子はEPROM（U5）の出力端子D5に接続される（図4Bを参照のこと）。EPROM（U5）38は、以下に詳述する525ラインのEPROMであり、その出力端子D5は、典型的にアクティブフィールド中にハイであり、垂直帰線消去期間中にローである信号を供給する。端子D5の信号は、通常のカラーバースト信号の時間中にオンになり、及び／又は、カラーストライプバーストの時間間隔中にオフになり、及び／又は、カラーバーストの無い垂直帰線消去期間（VB1）ライン中にローになるようにプログラムすることができるので、アクティブテレビジョンフィールドの全体に亘って“オン”でなければならない。ライン42上のゲートU100からの出力信号はVBI中の特定のラインにできる限り制限された入力ビデオからのバーストである。
カラーバースト位相ロックループU2は、不正確な位相バースト信号を伴うカラーストライプバーストがビデオ入力42に与えられるときでも出力信号の位相が一定するように、その直流増幅器に遅くて長い時定数を有する。位相ロックループU2は、或いは、RCA  CA1398のような注入ロックされた水晶バースト連続発振器、若しくは、水晶フィルタのようなバースト共振回路でもよい。位相ロックループU2の出力端子46は、位相シフタφ２に結合される。位相シフタφ２の出力信号は、記録可能なビデオ信号を生成するため図5A、5Bの回路で使用されるライン50上の安定な3.58MHz正弦波CW2である。
上記の説明では、カラーストライプバーストの位置が既知であり、かつ、一定である場合を想定している。カラーストライプバーストの位置がら時間的にライン内で移動する場合、カラーバーストは１ライン毎に検出される。この検出は、位相検波器（PD）U11を用いて、ゲートU100への入力ビデオバースト信号を回路U2の出力信号と比較することにより行われる（図4Cを参照のこと）。位相検波器U11の出力信号は、スイッチSW2の入力端子への3MHzローパスフィルタ（LPF）LPF3に結合される。スイッチSW20はライン24上の反転クランプパルスにより制御される。スイッチSW20及びキャパシタC4は、バーストゲート期間中に3MHzローパスフィルタLPF3の出力をサンプル・ホールドする。従って、増幅器A4への非反転入力信号はバースト位相の１ラインずつの標識である。カラーストライプ信号からの不正確なバースト位相は、正しいバースト位相が発生したときとは異なる電圧を増幅器A4の入力端子に生じさせる。増幅器A4は、カラーストライプバーストが存在するとき、ハイをトリガする閾値検出器を作動する。増幅器A4の出力信号は、複製可能な信号を生成するため図5A、5Bの回路で使用されるライン62上のカラーストライプ検出信号（CSD）である。
安定色副搬送波を発生する第２の方法は、ビデオ信号の水平同期部分から副搬送波信号を得ることである。この方法は、カラーストライププロセスがケーブルテレビジョンの分野に適用される場合、即ち、同期・バースト間にコヒーレンスが存在する場合に適用可能である。これを実現するため、同期分離器U1からの水平同期パルス信号は、垂直期間中に存在する水平同期パルス及び／又は疑似同期パルスが共にビデオ入力信号中にあるとき、水平同期パルス及び／又は疑似同期パルスを除去するため45マイクロ秒の再トリガ不能形のワンショットU3に結合される。
ワンショットU3の出力端子（図4Bを参照のこと）は、10ビットカウンタU4の第１の入力端子に接続される。カウンタU4のリセット入力端子は、ライン16と、キャパシタC1及び抵抗R1を含む微分回路とを介して同期分離器U1のフレームパルス出力端子に接続される。10ビットカウンタU4の出力信号はEPROM回路U5への10ビットバスに渡される。EPROM回路U5は、テレビジョンフレーム（NTSC方式の場合に525ライン）内でハイ又はローの論理レベルを設定するためプログラムされる。端子D3上の出力は常にハイでもよく、若しくは、テレビジョンフィールドの一部分の間にハイでもよい。端子D3上の信号は、フリップフロップU6の出力Ｑのトライステートを制御する。ワンショットU3の出力端子は位相検波器フリップフロップU6のクロック入力端子に接続される。ワンショットU3からの水平同期信号のエッジはフリップフロップU6をセットし、一方、分周器U7の出力信号はフリップフロップU6をリセットする。フリップフロップU6の出力端子は、濾波及び増幅用のローパスフィルタ及び増幅器LPF1に接続される（図4Cを参照のこと）。フィルタLPF1の出力は、14.318180MHzで動作する水晶電圧制御発振器VCOに結合される。
フィルタLPF1からの入力信号の結果として、発振器VCOはビデオ水平同期パルスにロックされる。発振器VCOの出力端子は副搬送波周波数信号をライン76上に生成するため４分周カウンタU8に接続される。４分周カウンタU8は、各フレーム毎にCLR端子でリセットされ、その結果として、ライン76上の副搬送波周波数の正確な位相に０゜又は180゜の曖昧さを生ずる。これを補正するため、４分周カウンタU8の信号は、通常のバーストを有することが分かっているビデオライン、即ち、ビデオライン14で標本化され、キャパシタC3を介してホールドされた入力の通常のバーストと、位相検波器U10によって位相比較される。カウンタU8からの位相が正しい場合に、増幅器A5はロー状態を出力し、XORゲートU9の出力はカウンタU8の出力信号の位相を反転しない。カウンタU8の出力の位相が不正確（180゜）であるならば、位相検波器（PD）U10は、増幅器A5の出力がハイになるように、（ローパスフィルタLPF2及びスイッチSW10を介して）増幅器A5に電圧を供給する。これによりXORゲートU9の出力は180゜ずつ位相反転する。
スイッチSW1はEPROM（U5）の端子D6の信号により制御される。
この回路は、XORゲートU9の出力端子で正しい副搬送波位相を発生する。XORゲートU9の出力信号は位相シフタφ１に接続される。φ１の出力は、一つ以上の記録可能な出力信号を発生するため回路5A、5Bで使用されるライン94上の3.58MHz副搬送波信号CW1である。
図4Cの付加的な回路は、出力端子が水平ライン画素位置EPROM回路U70に接続されている10ビットカウンタU60を含む。個々の画素は、ワンショットU3の出力端子からの水平レートエッジ信号で10ビットカウンタU60をリセットし、発振器VCOの出力信号で10ビットカウンタU60を同期することにより配置される。10ビットカウンタU60の10ビットバス出力信号は、出力DD0乃至DD7を発生するためEPROM回路U70のアドレスラインに結合される。上記出力（画素位置ゲート信号）は、ビデオフィールド全体に亘る水平ライン内の画素位置を表わす。
図4Cの上記出力信号に加えて、図4Cからの幾つかの付加的な出力信号が図5A、5Bの回路で使用される。その中の第１のグループは、（１）ライン100上でACSLにより表わされた、カラーストライプパルスの“全部の位置”の標識を与えるEPROM回路U5の出力信号D0と、（２）ライン102上でSCSLにより表わされた、カラーストライプパルスの“一部の位置”の標識を与えるEPROM回路U5の出力信号D1と、（３）ライン104上でAFLにより表わされた、“全部のアクティブフィールド”の出力を与えるEPROM回路U5の出力端子D4の出力信号とを含む。上記の信号は図３のライン位置ゲート信号に対応する。
更に、（１）同期分離器U1の水平同期出力端子によりライン18上に供給された水平同期HSYNC出力信号と、（２）クランプ増幅器A2の出力端子により供給されたライン108上のクランプビデオ出力信号と、（３）同期分離器U1のバーストゲート出力端子20により供給されたバーストゲート出力信号とがある。上記の全ての出力信号は、図5A、5B、6A、6Bに示された回路の種々の部分で使用される。
図5A、5B並びに6A、6Bは、ビデオカセットレコーダにより録画可能なビデオ出力信号を生成する種々の方法のため図4Cにおいて発生された色副搬送波及び他の信号を使用する種々の例示的な回路を示す。従って、図5A、5B並びに6A、6Bは種々の実現可能な回路を示し、実際の回路は図5A、5B並びに6A、6Bに示された回路の中から選択された部分だけを含む。
上記の回路の中の第１の回路は、端子200に複製可能なビデオ出力信号VIDOUT1を生成する。ユーザは、ジャンパJP1を用いてライン94上の信号CW1又はライン62上の信号CW2の一方を選択することにより図4Cで発生された適当な副搬送波を選択し得る。ジャンパJP1の出力端子は、選択された副搬送波を減衰させる減衰器PADに接続される。ライン108上のクランプビデオ及び減衰器PADからの減衰された副搬送波は、スイッチSW100の第１及び第２の入力に結合される。スイッチSW100は、一方の入力端子がEPROM回路U5のプログラミングに依存した幅のバーストゲート信号を伝搬するEPROM回路U5の出力ラインDD0に接続されたANDゲートU305の出力端子により制御される。ANDゲートU305のもう一方の入力端子は、ジャンパJP2とジャンパJP3の組合せを利用してライン100上のACSL信号、ライン102上のSCSL信号、又は、ライン62上のCSD信号に選択的に接続される。
この回路によれば、ユーザは、置換カラーバースト信号を受けるための端子200で録画可能なビデオ出力VIDOUT1のビデオラインを選択することが可能になる。ACSL信号が選択された場合に、録画可能なビデオ出力VIDOUT1は、カラーストライプバーストの存在が分かっている全てのビデオライン上に補正されたカラーバーストを含む。SCSL信号が選択された場合、録画可能なビデオ出力VIDOUT1は、録画されたビデオ上のカラーストライププロセスの影響を実質的に低減又は無しにするため充分な数のビデオライン上に補正されたカラーバーストを含む。
ACSL信号は、予めプログラムされ、次に、観察によって分かった通りにカラーストライプ発生器によって再プログラムされたビデオラインを示す。（カラーバースト発生器は図示されていない装置であり、カラーストライププロセスをビデオ信号に載せる装置である。）予めプログラムされたラインが分からない場合には、カラーバーストを補正する必要があるラインを判定するためCSD信号が使用される。ANDゲートU305をドライブするためジャンパJP3を用いてCSD信号が選択された場合、回路は、カラーストライプバーストが本質的に無効にされるように、記録可能なビデオ出力VIDOUT1中のカラーストライプバーストの全部又は少なくとも大半を置き換える。
上記の各技術において、EPROM回路U5の出力端子DD0上の信号は、カラーストライププロセスを実質的に低減又は無効にするため各ライン内の正しいバーストの一部分に充分に切り替わるようにプログラムされる。
第２の回路は録画可能なビデオ出力信号VIDOUT2を端子214に発生する。この回路は、カラーストライプバーストが分かっている場合にカラーストライプバーストの既知の位相誤差をシフトするためビデオライン中に位相シフタに切り替わる。スイッチSW102への第１の入力信号は、位相シフトされたカラーバースト信号の既知の値と共にカラーストライプバーストを含むライン108上のクランプビデオである。スイッチSW102への第２の入力信号は、クランプビデオ信号の位相シフトされたバージョンである位相シフタφ３の出力信号である。スイッチSW102の制御端子は、スイッチSW100を制御するスイッチングパルスと同じスイッチングパルスを供給するANDゲートU305の出力端子に接続される。上記パルスを用いることにより、カラーストライププロセスを実質的に低減又は無効にするため、各ラインにおいて本質的に正しい位相をなす補正されたカラーバーストの充分な部分を選択できるようになる。
複製可能なビデオ出力信号を供給する第３の回路は、正しいバースト信号の大きい振幅を、カラーストライプ状のビデオに加え、次に、得られたバーストを通常のバーストレベルまで減衰する。この回路は以下の通り実現される。
ライン108上のクランプビデオ信号は、加算増幅器A36の第１の入力に結合される。ジャンパJP1により選択された信号CW1又はCW2のいずれかの色副搬送波信号は、減衰器PADを介して、スイッチSW101の入力端子に結合される。スイッチSW101は、上記の如くEPROM回路U305により判定された時間間隔中、通常のバースト振幅である減衰された副搬送波を選択する。スイッチSW101の出力端子は、通常の振幅の10倍の大きさの色副搬送波バースト信号を生成する10倍増幅器である増幅器A35に接続される。
増幅されたカラーバースト信号は加算増幅器A36の第２の入力端子に接続される。但し、ライン108上のクランプビデオ信号がカラーストライプバーストを含む場合を考える。加算増幅器A36の出力端子は抵抗R9、抵抗R10及びスイッチS104を含むスイッチ形減衰器に接続される。スイッチS104は、ライン110上でライン20の同期分離器U1からのバーストゲート信号により制御される。スイッチS104  230を閉成することにより、バーストゲート信号の期間中、増幅器A36の出力信号が減衰する。これにより、実際上、入力ビデオ信号中に存在するあらゆるカラーストライプバーストが“交換”される。スイッチ形減衰器の出力は、複製可能なビデオ出力VIDOUT3を端子218に供給するため、単位利得増幅器である増幅器A44に結合される。バースト振幅を低下させるスイッチSW104は、録画可能（複製可能）な信号を生成するため、カラーストライプラインの全部又は一部の期間中、及び、各ラインのカラーバーストの一部分の期間中に閉成されてもよいことに注意する必要がある。また、後からバースト振幅が低減される増幅器A36を介して大きい振幅のカラーバーストを追加することは、録画可能な信号を生成するため、ビデオフィールド内の大多数のビデオラインで実行可能である。
複製可能なビデオ信号を提供するする第４の技術は、カラーストライプバースト及び／又はカラーストライプバーストに先行する水平同期パルスの除去を含む。これを除去することにより、録画中のビデオカセットレコーダは、正確なカラーストライプバーストラインを不正確な位相バースト信号とヘテロダイン合成することがなくなる。水平同期パルス又はカラーストライプバーストが消去されたカラーストライプバーストを備えたラインの全部又は一部は、録画可能な複製物を生ずる。録画可能な出力を生成するため、関連した水平同期パルスの一部だけが狭小化され、或いは、関連したカラーストライプバーストの一部分だけ狭小化されることに注意する必要がある。
上記第４の技術を実現する回路は以下の通りである。ライン108上のクランプビデオ信号は、単位利得増幅器A55に接続されている抵抗R107に接続される。NANDゲートU110、ANDゲートU120、ジャンパJP5、ジャンパJP4、及びORゲートU130は、カラーストライプバースト及び／又はカラーストライプバーストに先行する水平同期パルスを消去するためタイミング信号を供給する。スイッチSW103は、選択されたパルス又はバースト期間が上記の阻止により選択されるとき、単位利得増幅器A55の入力端子を接地する。上記のタイミング成分は、カラーストライプバースト又は付随する水平同期パルスの全期間又は一部の期間だけで水平パルス又はカラーストライプバースト信号を消去する。単位利得増幅器A55の出力端子は端子220に録画可能なビデオ出力VIDOUT4を供給する。
図6A、6Bは、録画可能（複製可能）なビデオ出力信号を生成するため図4Cの回路により発生された色副搬送波及びパルスを使用する他の回路を示す図である。
録画可能なビデオ信号を生成する第５の技術は、水平同期パルスのレベルシフトを用いてカラーストライプバーストに付随した水平同期パルスの影響を除去する。レベルシフトの影響は、1993年３月16日にクァン他に発行された引用文献：米国特許第5,194,965号“ビデオ信号のアンチコピー防止を示す方法及び装置（Method and Apparatus For Displaying Anti−Copy Protection In Video Signals）”に記載されている。
この第５の技術は以下の通り実現される。図4Cからのライン108上のクランプビデオ信号は、加算増幅器A99の第１の入力端子に結合される。増幅器A99のもう一方の入力端子は、カラーストライプバーストと一致して正側に変化する水平同期パルスを含むゲートU120の出力端子に接続される。ゲートU120の出力端子はカラーストライプバーストの一部と一致した水平同期パルスの一部分を伝達し得る。影響を受けるラインは上記の第４の技術で説明したタイミングの関数として決まる。かくして、水平同期パルスのレベルシフトは、特定のラインの一部分だけ、又は、カラーバーストを有する特定のラインで発生する。レベルシフトの量は、録画可能なビデオ出力を生成するため要求される量が得られるように調整してもよい。加算増幅器A99の出力端子250は、レベルシフトされた水平同期パルスを伴う録画可能なビデオ出力信号を与える。
録画可能なビデオ信号を生成する第６の技術は、付随した水平同期パルスをクリッピングすることによりカラーストライプバーストに付随した水平同期パルスの影響を除去することである。
この第６の技術は以下の通り実現される。同期信号クリッピング回路は、増幅器A91と、トランジスタQBCLと、抵抗Rsとを含む。増幅器A91は、上記ゲートU120の出力信号の論理レベルを反転又は減衰させる。増幅器A91の出力信号は典型的に約0IRE乃至−10IREである。クランプビデオ信号が抵抗Rsを介して結合されたとき、水平同期パルスは、ゲートU120の論理レベル出力に依存してカラーストライプバーストラインの一部又は全部の間に−10IREにクリップされる。更に、各水平同期パルスは全期間又は一部の期間に亘りクリップされても構わない。クリッピング期間の長さは録画可能な複製物を作成する能力に依存する。増幅器A77は、クリップされた水平同期用信号を伴う録画可能なビデオ信号VIDOUT6を出力する。
記録可能なビデオ出力を生成する第７の技術は、水平同期パルスの間隔を広くすることによりカラーストライプバーストに付随した水平同期パルスの影響を除去することである。
これは以下の通り実現される。ライン108上のクランプビデオ信号はスイッチSW124の第１の入力端子に結合される。スイッチSW124の第２の入力端子は、EPROM回路U70の出力端子DD3により供給される拡幅された水平同期信号に結合される。スイッチSW124は、EPROM回路U70の端子DD4の水平帰線消去信号とライン64上のアクティブフィールドライン出力を論理積するANDゲートU123の出力端子の信号により制御される。
この第７の技術はスイッチSW124を制御するためゲートU120の出力信号を使用する。拡幅された水平同期信号はカラーバーストを除去するため、カラーストライプバースト信号を有することが判定された全てのビデオライン上に結果として得られた信号はカラーバーストではない。単位利得増幅器A88は、拡幅された水平同期用信号を伴う録画可能なビデオ出力をビデオカセットレコーダに結合する。
図７には、水平同期パルスが除去されたビデオにオフセット電圧を加えることにより、水平同期パルスの除去と共に再生性を改良する回路が示される。この加えられたオフセット電圧は、テレビジョン又はビデオカセットレコーダ内の同期分離器に水平同期信号を見落とすことにより生じるビデオレベルの切り取りを行わせない。
アクティブフィールドのアクティブライン中に電圧ペデスタルを発生するため、EPROM回路U70の端子DD5の信号により示されたアクティブ水平ライン画素位置は、ANDゲートU467により、アクティブフィールドライン位置を示す端子D4の信号と論理的に合成される。ゲートU467の出力は、抵抗RPEDを介してトランジスタQA及びQBを含む電流ミラーに供給される。トランジスタQAのコレクタは、トランジスタQD及びQCを含む電流ミラーに通じる。トランジスタQCのコレクタは、ペデスタル電圧をクランプビデオ入力に加算するためペデスタル電流を抵抗RSSに注入する。出力信号は（バッファ増幅器A40を介して）、種々の水平同期パルスのクリッピング、シフト又は消去回路に供給される。
録画可能なビデオ出力を生成する第８の技術は、カラーバーストを効果的に“消去”するため、バースト検出回路のレンジ外に収まるようにカラーストライプバーストを遅延させることである。
この技術は以下の通り実現される。ライン108上のクランプビデオは、抵抗ROとインダクタL4とキャパシタC4とを含むクロマバンドパスフィルタ、並びに、スイッチSW123の第１の入力端子に結合される。クロマパスフィルタの出力信号は、増幅器A98により緩衝、増幅される。増幅器A98の出力端子は、バンドパスフィルタのクロマ出力を例えば２マイクロ秒ずつ遅延する遅延ライン276に接続される。遅延ライン276の出力端子はスイッチSW123の第２の入力端子に接続される。スイッチSW123は、ANDゲートU278の出力信号により制御される。同期分離器U1からの水平同期パルスは、水平同期入力信号の後縁によってトリガされた４マイクロ秒のパルスを発生するワンショットU505の入力端子に結合される。ANDゲートU278は、上記の如く、ワンショットU505の出力信号と、カラーストライプラインの一部の位置を表わす信号（SCSL）であるEPROM回路U5のD1端子出力信号との論理合成からスイッチSW123用の制御信号を発生する。
スイッチSW123の出力は、カラーストライプバーストを有するビデオライン上に遅延したカラーバーストを有する。遅延したカラーバーストはビデオカセットレコーダにより検出されない。従って、ビデオカセットレコーダはカラーストライプバーストを有するラインに応答しない。増幅器A97はスイッチSW123の出力信号を緩衝し、録画可能な遅延したカラーストライプバーストを伴う出力信号を生ずる。
録画可能なビデオ信号を生成する第９の技術は、ビデオカセットレコーダのカラーバーストを効果的に“消去”すべく、カラーストライプバースト位相を正しくなるようシフトし、及び／又は、カラーストライプバーストをバースト検出回路の周波数レンジ外にシフトするため信号逓倍（ヘテロダイン合成）を使用する。
ライン108上のクランプビデオは信号逓倍器282の第１の入力端子に結合され、信号逓倍器282の第２の入力は、信号SW122により制御されるように殆どの時間に１ボルト直流信号に接続される。カラーストライプバースト位相を制御するため、スイッチSW122は、ジャンパJP207を介して、周波数２倍増幅器A10及び位相シフタφ４により発生された図4Cからの信号
cos（２πfsct＋φ）
を結合し、或いは、カラーストライプバーストを周波数のレンジ外までシフトするため、任意の発振ソースからの信号
cos（２π18.6×106t）
がカラーストライプバーストをヘテロダイン合成するため使用される。スイッチSW122はANDゲートU305の出力により制御される。
スイッチSW122の１ボルト直流及びゲートU305からの制御信号のため、逓倍器282からの出力信号は、殆どの時間中に“トランスペアレント”である（ライン108上の信号と一致する）。しかし、ゲートU305の出力信号により判定されるようなカラーストライプバースト信号の時間中に、逓倍器282の出力信号は、カラーストライプ周波数プラス補正されたカラーバースト位相角、即ち、
cos（２πfsct＋φＡ）
並びに、カラーバースト周波数の３倍プラス別の位相角、即ち、
cos（２π3fsct＋φＢ）
と一致する。逓倍器の出力はローパスフィルタLPF4に結合される。ローパスフィルタLPF4は約5MHzの遮断周波数を有するので、カラーバースト周波数の３倍が除去される。ローパスフィルタLPF4の出力信号は、ローパスフィルタLPF4の出力信号を緩衝し、カラーストライプバーストが設けられ、録画可能な出力を与える増幅器A74に結合される。
スイッチSW122の第２の入力端子が18.6MHzの正弦波に結合され、ローパスフィルタLPF4が16MHzで遮断するよう設計されている場合、カラーストライプバースト時間中の逓倍器282の出力信号は、ゲートU305の出力により決定されるように、約15MHz及び22MHzのバースト周波数を含む。かかるローパスフィルタLPF4はカラーストライプ期間中に15MHzのバーストを通過させる。この信号がビデオカセットレコーダに結合されたとき、ビデオカセットレコーダのクロマ入力フィルタは、3.58MHzのバーストを予期しているので（高周波を除波する）、15MHzに応答しない。かくして、カラーストライプバーストを伴うラインで、カラーストライプバーストが無効にされる。
図８は、正しい位相のカラーバーストをカラーストライプバーストで置換し、クロマ位相をカラーストライプバーストの位相に変更する上記の方法を実施する回路を表わす図である。クランプビデオ信号は、カラーストライプバーストの位相と、正しいカラーバースト位相との間の差と一致する量で位相をシフトする位相シフタU75に供給される。バーストゲート信号により制御されるスイッチSW124は、テレビジョンフィールドの各ラインにカラーストライプバーストの位相からなるカラーバーストを有するクランプビデオを出力する。同様に、制御されたスイッチU126は、次に、カラーストライプバーストの位相シフトと適合するように、位相シフトされ、録画可能な信号である（アクティブクロマを含む）各テレビジョン水平ラインを有するクランプビデオを出力する。
図９は、本発明の一実施例において上記の回路と共に使用される回路であって、位相ロックループ又は電圧制御発振器を用いることなく副搬送波を再生する回路を示す図である。図4BのワンショットU3からの出力信号は、32μ秒のワンショットU60に供給され、ワンショットU60の出力信号は水平ライン周波数の等価物であり、即ち、水平ライン周波数を備えた方形波である。この信号は、水平同期信号の13次高調波を通すバンドパスフィルタBPF3に供給される。水平周波数の13倍の信号は制限増幅器A47に供給され、制限増幅器A47は、水平周波数の13倍の信号の７次高調波を通すバンドパスフィルタBPF4の入力端子に接続される。水平周波数の13次高調波の７倍であるこの周波数は第２の制限増幅器A48に供給され、制限増幅器A48は、水平周波数の13次高調波の７倍の信号の５次高調波の帯域を通すバンドパスフィルタBPFGの入力端子に接続され、次に、バンドパスフィルタBPFGは、２分周カウンタU68のクロック端子に接続されている別の制限増幅器A50に接続される。カウンタU68の非反転出力端子Ｑは、NTSCテレビジョンに対する望ましい厳密な副搬送波周波数である3.57954MHzの信号を供給する。次に、この信号は（図4Cに示されたものと同様に）色位相識別回路U70への第１の入力であり、色位相識別回路U70は（もう一方の入力端子に与えられたフレームパルスに応答して）その出力信号として各テレビジョンフィールド毎に所望の正しい色位相及び周波数副搬送波を供給する。色副搬送波を再生するための同様なスキームは、周波数逓倍器及び／又は（水晶）位相ロックループ回路を通過する垂直同期信号により実現され得る。
米国特許第4,577,216号に記載された位相変調を用いてビデオ録画を阻止する従来技術のコピー防止方法において、典型的に、可視テレビジョンフィールドの４乃至５本のビデオラインの帯に対し、カラーバースト全体が帯の中の各ラインに対し変調される。この帯の次に、カラーバースト変調のない８乃至10本のビデオラインの帯が続く。しかし、カラーバースト変調を有する各ラインに対し、カラーバースト全体が位相変調されている。
本発明によれば、カラーバーストの一部分だけがビデオコピー防止のため位相変調される。ビデオラインのカラーバーストの重要な部分（全体である必要はない）が変更される限り、そのビデオ録画は阻止され、その結果として許容可能なビデオ録画の作成が防止されることが分かった。
上記の如くコピー防止を無効にするため、本発明の方法は、各カラーバーストの期間の半分よりも多く全部よりは少ない期間の位相を正しい位相以外の位相に変調し、これにより、許容可能なビデオ録画の作成を阻止する。この位相変調は、上記の如く、位相を例えば20゜乃至180゜シフトする。カラーバーストの約半分以上の期間がこの変調を受け、例えば、８乃至10サイクルのカラーバーストを有するNTSC方式では、その中の４乃至６サイクルが変更される。また、この方法は、上記の如く、位相変調を受ける数個の連続的なビデオ水平ラインの帯が位相変調を受け、その後にその変調を受けない水平ラインの帯が続く場合も使用することが可能である。
本明細書の開示は例示的であり、その例に限定されることはなく、当業者には明白である更なる変形は添付の請求項に記載された範囲内に含まれることが意図されている。
【図２Ａ】
0003624226.tif 000002
【図１Ａ】
0003624226.tif 000003
【図２Ｂ】
0003624226.tif 000004
【図２Ｃ】
0003624226.tif 000005
【図２Ｄ】
0003624226.tif 000006
【図１Ｂ】
0003624226.tif 000007
【図１Ｃ】
0003624226.tif 000008
【図２Ｅ】
0003624226.tif 000009
【図２Ｆ】
0003624226.tif 000010
【図２Ｇ】
0003624226.tif 000011
【図３】
0003624226.tif 000012
【図８】
0003624226.tif 000013
【図４Ａ】
0003624226.tif 000014
【図４Ｂ】
0003624226.tif 000015
【図４Ｃ】
0003624226.tif 000016
【図５Ａ】
0003624226.tif 000017
【図５Ｂ】
0003624226.tif 000018
【図６Ａ】
0003624226.tif 000019
【図６Ｂ】
0003624226.tif 000020
【図７】
0003624226.tif 000021
【図９】
0003624226.tif 000022